【誤訳訂正書】
【提出日】平成29年12月22日(2017.12.22)
【誤訳訂正１】
【訂正対象書類名】特許請求の範囲
【訂正対象項目名】請求項１
【訂正方法】変更
【訂正の内容】
【請求項１】
複数の眼の画像を結合して、プレノプティック多焦点画像にするための方法であって、
各々が対応するフレームに含まれた複数の眼の画像を、プロセッサ及びメモリシステムを使用して一以上の眼の画像セットに登録することと、
前記一以上の画像セットの中の前記眼の画像のそれぞれを、前記プロセッサにより、前記メモリシステムに存在する、選択された参照用画像に整合させることと、
ノイズや他の撮像アーチファクトを削除して一以上の勾配画像を算出することにより、前記眼の画像の一以上の合焦領域を決定することと、
前記一以上の勾配画像から最高の解像度を有する前記一以上の合焦領域を特定することと、
当該特定された前記一以上の合焦領域を前記フレーム中から選択し、結合して、前記フレーム中の前記眼の画像及び前記一以上の眼の画像セットよりも高い解像度のプレノプティック多焦点画像にすることとを含む方法。 
【誤訳訂正２】
【訂正対象書類名】特許請求の範囲
【訂正対象項目名】請求項２
【訂正方法】変更
【訂正の内容】
【請求項２】
前記登録のステップが、所定数の制御点によって制御されることを特徴とする請求項１に記載の方法。 
【誤訳訂正３】
【訂正対象書類名】特許請求の範囲
【訂正対象項目名】請求項３
【訂正方法】変更
【訂正の内容】
【請求項３】
前記所定数の制御点が、ユーザの見解によって手動で設定されることを特徴とする請求項２に記載の方法。 
【誤訳訂正４】
【訂正対象書類名】特許請求の範囲
【訂正対象項目名】請求項４
【訂正方法】変更
【訂正の内容】
【請求項４】
前記所定数の制御点が、前記プロセッサによって自動的に算出されることを特徴とする請求項２に記載の方法。
【誤訳訂正５】
【訂正対象書類名】特許請求の範囲
【訂正対象項目名】請求項５
【訂正方法】変更
【訂正の内容】
【請求項５】
前記眼の画像、前記フレーム、前記所定数の制御点、及び前記画像セットが、前記メモリシステムに存在することを特徴とする請求項２に記載の方法。 
【誤訳訂正６】
【訂正対象書類名】特許請求の範囲
【訂正対象項目名】請求項９
【訂正方法】変更
【訂正の内容】
【請求項９】
前記それぞれの眼の画像の、均等に照光された一以上の領域から前記一以上の最高の解像度を有する合焦領域を取り込むことにより、前記眼の画像が結合されることを特徴とする請求項１に記載の方法。 
【誤訳訂正７】
【訂正対象書類名】特許請求の範囲
【訂正対象項目名】請求項１０
【訂正方法】変更
【訂正の内容】
【請求項１０】
信号対ノイズ比を改善するために、複数の前記合焦領域を平均化することにより、前記眼の画像が結合されることを特徴とする請求項１に記載の方法。 
【誤訳訂正８】
【訂正対象書類名】特許請求の範囲
【訂正対象項目名】請求項１１
【訂正方法】変更
【訂正の内容】
【請求項１１】
前記プレノプティック多焦点画像が、一以上の細隙灯搭載カメラ、一以上の細隙灯一体型カメラ、光コヒーレンストモグラフィー、特定の波長での光学撮像、マルチスペクトル撮像、ハイパースペクトル撮像、自己蛍光撮像、共焦点網膜撮像、走査レーザー検眼鏡、一以上の補償光学装置、一以上の配向分極固有装置、一以上の眼底カメラ、一以上の携帯型撮像装置、一以上の直像検眼鏡、一以上の倒像検眼鏡、蛍光眼底血管造影、ＩＣＧ血管造影、クルクミン蛍光撮像、自己蛍光からなる群から選択される、一以上の眼の撮像用モダリティ又は装置によって作成されることを特徴とする請求項１に記載の方法。 
【誤訳訂正９】
【訂正対象書類名】特許請求の範囲
【訂正対象項目名】請求項１３
【訂正方法】変更
【訂正の内容】
【請求項１３】
前記方法が前記ステッピングフォーカスによって様々な深度で焦点の合った前記一以上の眼の画像を創出することを特徴とする請求項１２に記載の方法。 
【誤訳訂正１０】
【訂正対象書類名】特許請求の範囲
【訂正対象項目名】請求項１４
【訂正方法】変更
【訂正の内容】
【請求項１４】
焦点が合い、均等に照光され、高周波画像情報が取得された前記一以上の合焦領域を特定して、前記焦点が合い、均等に照光され、高周波画像情報の取得処理がなされた画像を結合して、前記プレノプティック多焦点画像にすることを特徴とする請求項１に記載の方法。
【誤訳訂正１１】
【訂正対象書類名】特許請求の範囲
【訂正対象項目名】請求項１６
【訂正方法】変更
【訂正の内容】
【請求項１６】
複数の眼の画像を結合して、プレノプティック多焦点画像にする方法であって、
各々が対応するフレームに含まれた複数の眼の画像を、プロセッサ及びメモリシステムを使用して一以上の眼の画像セットに登録することであって、当該登録は所定数の制御点によって制御され、前記眼の画像は一以上の高密度カメラセンサを使用して収集され、前記眼の画像は前記それぞれの眼の画像の一以上の均等に照光された領域から最高の解像度を有する一以上の合焦領域を取り込むことによって結合される登録と、
前記一以上の画像セットの中の眼の画像のそれぞれを、前記プロセッサにより、前記メモリシステムに存在する選択された参照用画像と整合させることと、
ノイズや他の撮像アーチファクトを削除して一以上の勾配画像を算出することにより、前記眼の画像の一以上の合焦領域を決定することであって、前記一以上の合焦領域は、焦点が合い、均等に照光され、高周波画像情報が取得されており、前記焦点が合い、均等に照光され、高周波画像情報の取得処理がなされた画像を結合して、前記プレノプティック多焦点画像にする決定と、
前記一以上の勾配画像から最高の解像度を有する前記一以上の合焦領域を特定することと、
当該特定された前記一以上の合焦領域を前記フレーム中から選択し、結合して、前記フレーム中の眼の画像及び前記一以上の眼の画像セットよりも高い解像度のプレノプティック多焦点画像にすることとを含む方法。 
【誤訳訂正１２】
【訂正対象書類名】特許請求の範囲
【訂正対象項目名】請求項１７
【訂正方法】変更
【訂正の内容】
【請求項１７】
前記所定数の制御点が、ユーザの見解によって手動で設定されることを特徴とする請求項１６に記載の方法。 
【誤訳訂正１３】
【訂正対象書類名】特許請求の範囲
【訂正対象項目名】請求項１８
【訂正方法】変更
【訂正の内容】
【請求項１８】
前記所定数の制御点が、前記プロセッサによって自動的に算出されることを特徴とする請求項１６に記載の方法。 
【誤訳訂正１４】
【訂正対象書類名】特許請求の範囲
【訂正対象項目名】請求項１９
【訂正方法】変更
【訂正の内容】
【請求項１９】
前記眼の画像、前記フレーム、前記所定数の制御点、及び前記画像セットが、前記メモリシステムに存在することを特徴とする請求項１６に記載の方法。 
【誤訳訂正１５】
【訂正対象書類名】特許請求の範囲
【訂正対象項目名】請求項２３
【訂正方法】変更
【訂正の内容】
【請求項２３】
信号対ノイズ比を改善するために、前記一以上の合焦領域を平均化することにより、前記眼の画像が結合されることを特徴とする請求項１６に記載の方法。 
【誤訳訂正１６】
【訂正対象書類名】特許請求の範囲
【訂正対象項目名】請求項２４
【訂正方法】変更
【訂正の内容】
【請求項２４】
前記一以上の合焦領域は、焦点が合い、均等に照光されており、周波数領域フィルターを使用して高周波画像情報が取得されており、前記焦点が合い、均等に照光されており、周波数領域フィルターを使用して高周波画像情報の取得処理がなされた画像を結合して前記一以上の画像にすることを特徴とする請求項１６に記載の方法。 
【誤訳訂正１７】
【訂正対象書類名】特許請求の範囲
【訂正対象項目名】請求項２５
【訂正方法】変更
【訂正の内容】
【請求項２５】
前記一以上の合焦領域は、焦点が合い、均等に照光されており、ウイナーフィルターを使用して高周波画像情報が取得されており、前記焦点が合い、均等に照光されており、ウイナーフィルターを使用して高周波画像情報の取得処理がなされた画像を結合して前記一以上の画像にすることを特徴とする請求項１６に記載の方法。 
【誤訳訂正１８】
【訂正対象書類名】特許請求の範囲
【訂正対象項目名】請求項２６
【訂正方法】変更
【訂正の内容】
【請求項２６】
前記プレノプティック多焦点画像は、一以上の細隙灯搭載カメラ、一以上の細隙灯一体型カメラ、光コヒーレンストモグラフィー、特定の波長での光学撮像、マルチスペクトル撮像、ハイパースペクトル撮像、自己蛍光撮像、共焦点網膜撮像、走査レーザー検眼鏡、一以上の補償光学装置、一以上の配向分極固有装置、一以上の眼底カメラ、一以上の携帯型撮像装置、一以上の直像検眼鏡、一以上の倒像検眼鏡、蛍光眼底血管造影、ＩＣＧ血管造影、クルクミン蛍光撮像、自己蛍光の群から選択される、一以上の眼の撮像用モダリティ又は装置によって作成されることを特徴とする請求項１６に記載の方法。 
【誤訳訂正１９】
【訂正対象書類名】特許請求の範囲
【訂正対象項目名】請求項２８
【訂正方法】変更
【訂正の内容】
【請求項２８】
前記方法が前記ステッピングフォーカスによって様々な深度で焦点の合った前記一以上の眼の画像を創出することを特徴とする請求項２７に記載の方法。 
【誤訳訂正２０】
【訂正対象書類名】明細書
【訂正対象項目名】０００２
【訂正方法】変更
【訂正の内容】
【０００２】
本発明は複数の眼の画像を結合する方法に関する。より具体的には、本発明は複数の眼の画像を結合して、プレノプティック多焦点画像にする方法に関する。
【誤訳訂正２１】
【訂正対象書類名】明細書
【訂正対象項目名】０００５
【訂正方法】変更
【訂正の内容】
【０００５】
本発明は複数の眼の画像を結合する方法に関する。より具体的には、本発明は複数の眼の画像を結合して、プレノプティック多焦点画像にする方法に関する。 
【誤訳訂正２２】
【訂正対象書類名】明細書
【訂正対象項目名】０００６
【訂正方法】変更
【訂正の内容】
【０００６】
本発明は様々な異なる動作中のモダリティ（医療用画像の撮像手段）において利用され、そして一以上の細隙灯搭載カメラ、一以上の細隙灯一体型カメラ、一以上の眼底カメラ、一以上の超広視野走査（ｕｌｔｒａ−ｗｉｄｅ ｆｉｅｌｄ ｓｃａｎｎｉｎｇ）装置たとえばＯＰＴＯＳ（登録商標）広視野装置、一以上の携帯型網膜撮像装置（ｈａｎｄ−ｈｅｌｄ ｒｅｔｉｎａｌ ｉｍａｇｉｎｇ ｄｅｖｉｃｅ）、一以上の直像検眼鏡、一以上の倒像検眼鏡、一以上の走査レーザー検眼鏡もしくは一以上の一般的な顕微鏡（ｇｅｎｅｒｉｃ ｍｉｃｒｏｓｃｏｐｅ）、個別の顎当て−操作レバーアセンブリ（ｃｈｉｎｒｅｓｔ−ｊｏｙｓｔｉｃ ａｓｓｅｍｂｌｙ）に取り付けられた一以上の内視鏡プローブ又は光学ヘッド（眼底カメラと類似するもの）を含む、様々な異なる装置の組み合わせにおいて活用されることができる。これらのモダリティ及び装置により、一以上の画像データのセットを登録し、その後に画像処理をして、それぞれの画像データのセットから、高周波で焦点の合った、且つ良好に露光された領域（ｒｅｇｉｏｎ）を得ることができる。この領域は、単一像又はプレノプティック多焦点画像、もしくは、ユーザが焦点の合っている検分されるべき選択領域にステップスルー（ｓｔｅｐ ｔｈｒｏｕｇｈ）することを可能とする動画に結合される。一以上の画像データのセットは、画像処理アルゴリズムを用いてコンピュータ上に登録される。登録する総量を決定するための一以上の制御点は人の見解により手動で設定するか、アルゴリズムにより自動計算することができる。
【誤訳訂正２３】
【訂正対象書類名】明細書
【訂正対象項目名】０００７
【訂正方法】変更
【訂正の内容】
【０００７】
本発明は以下の画像処理ステップを利用する。第一に、選択された参照用画像（基準、ｒｅｆｅｒｅｎｃｅ）に対して一以上の画像データのセットの中の各画像を整合させる。この方法全体により、変換（ｔｒａｎｓｌａｔｉｏｎ）、回転、視点変更（ｐｅｒｓｐｅｃｔｉｖｅ ｃｈａｎｇｅ）、フレーム内歪み（ｉｎｔｒａ−ｆｒａｍｅ ｗａｒｐｉｎｇ）を補正する。第二に、ノイズや他の一以上の撮像アーチファクトは削除して、複数の勾配情報を計算することにより、各フレームの一以上の合焦領域（焦点の合っている領域）を決定する。第三に、勾配の情報から、最高値を有する一以上の合焦領域を特定する。第四に、当該特定された複数の合焦領域をフレーム中から選択し、結合して、多焦点画像にする。例えば、画像の各エリアのもっとも焦点の合った領域を取り込む、又は信号対ノイズの割合を改善するために多数の合焦領域（ｍｕｌｔｉｐｌｅ ｉｎ−ｆｏｃｕｓ ｒｅｇｉｏｎ）を平均化するなど、画像は多くの方法で結合することが可能である。 
【誤訳訂正２４】
【訂正対象書類名】明細書
【訂正対象項目名】０００８
【訂正方法】変更
【訂正の内容】
【０００８】
本発明は、網膜または他の眼球領域の多数の焦点領域の可視化を説明しない、既存の眼の撮像方法とは異なる。本発明は、画像解析と画像処理とを組み合わせて画像の登録を創り出すことにより、多重高品質焦点プレノプティック多焦点画像及び動画を作成し、この課題を解決している。これらの多重画像を創り出すことで、全体的な解像度及び画像品質は大幅に改善される。本発明はまた、慎重な焦点制御の有無にかかわらず活用することが可能である。 
【誤訳訂正２５】
【訂正対象書類名】明細書
【訂正対象項目名】０００９
【訂正方法】変更
【訂正の内容】
【０００９】
本発明の目的は、一以上の眼の撮像用モダリティを組み合わせて利用することができる複数の眼の画像を結合して、プレノプティック多焦点画像にするための方法を提供することである。同モダリティとしては、眼底のカラー撮像、前眼部撮像、角膜及び水晶体の撮像、蛍光眼底血管造影、インドシアニングリーンすなわちＩＣＧ血管造影、クルクミン蛍光の撮像、自己蛍光、ディスクリート（ｄｉｓｃｒｅｅｔ）波長の撮像、無赤色撮像、ハイパースペクトル及びマルチスペクトル撮像、光コヒーレンストモグラフィーを含むがそれに限定されない。 
【誤訳訂正２６】
【訂正対象書類名】明細書
【訂正対象項目名】００１０
【訂正方法】変更
【訂正の内容】
【００１０】
本発明の別の目的は、複数の眼の画像を結合して、写真による既存の眼球画像よりも改良された解像度と焦点、及び向上した画像品質を有するプレノプティック多焦点画像にするための方法を提供することである。 
【誤訳訂正２７】
【訂正対象書類名】明細書
【訂正対象項目名】００１１
【訂正方法】変更
【訂正の内容】
【００１１】
本発明は、例示的な実施形態を用いて記述されるが、それに限定されない。添付図面において、同じ参照符号は同様の要素を意味する。
【図１】図１は、本発明の一つの実施形態に従った、眼球の写真画像である。
【図２】図２は、本発明の一つの実施形態に従った、プレノプティック多焦点画像に形成される、複数の眼の画像の写真画像である。
【図３】図３は、本発明の一つの実施形態に従った、複数の眼の画像を結合して、プレノプティック多焦点画像にするための、第１の方法のフロー図である。
【図４】図４は、本発明の一つの実施形態に従った、複数の眼の画像を結合して、プレノプティック多焦点画像にするための、第２の方法のフロー図である。
【誤訳訂正２８】
【訂正対象書類名】明細書
【訂正対象項目名】００１８
【訂正方法】変更
【訂正の内容】
【００１８】
図２に図示及び記述される、プレノプティック多焦点画像２２０のなかの眼の画像２１０の写真画像２００及びその記述は、図１に図示及び記述される、写真の眼球画像１００と類似している。図１に図示及び記述されている、写真の眼球画像１００及びとその記述とは対照的に、図２に図示及び記述される、プレノプティック多焦点画像２２０の中の眼の画像２１０の写真画像２００及びその記述は、複数の眼の画像を結合して、プレノプティック多焦点画像にする方法により作成されている（図３及び図４、工程３００及び４００）。複数の眼の画像を結合して、プレノプティック多焦点画像にする方法（図３及び図４、工程３００及び４００）は、図１とその説明に図示及び記述される写真の眼球画像１００と比べて、相対的により高い解像度、相対的に良好な焦点、相対的に良好な画像品質を有するプレノプティック多焦点画像２２０を創り出す。複数の眼の画像を結合して、プレノプティック多焦点画像にする方法の追加的な詳細は、図３、図４とその説明に図示及び記述される。図２に図示される眼の写真画像２００は、ＳＮＲがおよそ４２デシベルで、１５フレームの、整合（整列）され、平均化され、及び拡大された画像である。 
【誤訳訂正２９】
【訂正対象書類名】明細書
【訂正対象項目名】００１９
【訂正方法】変更
【訂正の内容】
【００１９】
本発明の別の実施形態において、複数の眼の画像を結合して、プレノプティック多焦点画像にする方法は、眼の解剖学的構造（ａｎａｔｏｍｙ）に関する眼の画像化の情報管理（ｉｍａｇｉｎｇ ｅｙｅ ｄｏｃｕｍｅｎｔａｔｉｏｎ）及び／又は眼の病理の検出に使用されることができる。複数の眼の画像を結合して、プレノプティック多焦点画像にする方法は、ＯＣＴで見られるような、眼の前方眼部、後方眼部、サブ構造（下位構造）の画像化に活用されることができる。複数の眼の画像を結合して、プレノプティック多焦点画像にする方法の一つの特徴は、画像の自動登録と、その後に、（例えば、周波数領域フィルター又はウイナーフィルターを使用して）焦点が合い、均等に照光された領域を特定し、高周波の画像情報を取得し、さらに上記焦点が合い、均等に照光された領域を特定し、高周波の画像情報の取得処理がなされた画像を結合して単一画像にする画像処理である。また、アルゴリズムは、焦点が合わず、別の光学収差を含み、及び／又は十分に照光されていない画像エリアを削除することができる。充分焦点の合った領域は、算出された勾配の最大値を有する領域から特定される。均等に照光された領域は、画像の平滑化（ｏｖｅｒ−ｓｍｏｏｔｈｉｎｇ、過剰平滑化）と、平均の明暗値と全体的な画像の明暗値との比較により決定される。平均値を顕著に下回る領域は十分に照光されていないとみなされ、分析から除外されなければならない。高周波の画像情報は、一以上の低周波の画像成分を除去し、一以上のランダムノイズのばらつきを平滑化及び抑制をすることにより算出される。マルチスケール勾配計算法は、高周波数画像情報を得る一つの方法である。高周波画像情報は、画像の焦点が合った場合の一つの指標である。十分に焦点が合っていない画像又は領域は、焦点が合ったフレームと比較して、低い勾配の値となる。これらの部分は分析から除外される。
【誤訳訂正３０】
【訂正対象書類名】明細書
【訂正対象項目名】００２０
【訂正方法】変更
【訂正の内容】
【００２０】
本発明の別の実施形態では、複数の眼の画像を結合して、プレノプティック多焦点画像にする方法は、具体的に焦点を段階的に実行（ｓｔｅｐ、ステップ）する新しい眼の撮像装置、及び／又はユーザに焦点の変更を要求したりしなかったりする既存の装置にも適用することができる。また、複数の眼の画像を結合して、プレノプティック多焦点画像にする方法は、画像セットを作成するために、装置の焦点を意図的にステップすることにより適用されてもよい。 
【誤訳訂正３１】
【訂正対象書類名】明細書
【訂正対象項目名】００２１
【訂正方法】変更
【訂正の内容】
【００２１】
本発明の別の実施形態では、複数の眼の画像を結合して、プレノプティック多焦点画像にする方法は、一以上の細隙灯搭載カメラ、一以上の細隙灯一体型カメラ、ＯＣＴ、特定の波長での光学撮像、マルチスペクトル撮像、ハイパースペクトル撮像、自己蛍光撮像、共焦点網膜撮像、走査レーザー検眼鏡、補償光学装置、配向分極固有装置、一以上の眼底カメラ、一以上の携帯型撮像装置、一以上の直像検眼鏡、一以上の倒像検眼鏡、蛍光眼底血管造影、ＩＣＧ血管造影、クルクミン蛍光撮像、自己蛍光及び他の眼の撮像用のモダリティを含むがそれに限定されない、様々な眼の撮像用モダリティ（単独又は組み合わせで）を使用する。画像データのセットは、ランダム焦点（ｒａｎｄｏｍ ｆｏｃｕｓ）又は計画的焦点（ｄｅｌｉｂｅｒａｔｅ ｆｏｃｕｓ）のいずれかと、露光制御によって取得される。画像データのセットはサブ画素の精度で自動的に登録される。画像処理はデータセットに対して実施され、データセットが明瞭で且つ十分に露光された部分を特定し、撮像の質を劣化させる比較的不明瞭および／又は暗いデータセット、ならびに他の収差を除去する。良好な、又は適した画像データは結合されて、ユーザが焦点の階層（ｆｏｃｕｓ ｓｔａｃｋ、焦点スタック）にステップスルーするか、又はユーザが見ることを所望する、焦点の合った領域を選択することを可能にする、プレノプティックの単一画像、又は複数の深度で焦点の合った単一画像、且つ／又は動画ファイルが作成される。「選択された領域をステップスルーする」という用語は、関心のある焦点位置を変更する、と定義される。選択された領域をステップスルーするという表現は、動画のフレームをスクロールすることと類義である。焦点の階層のステップスルーは、各フレーム間で焦点が変更されている、連続するフレームの集合体から、閲覧される画像を変更することを含む。一連の多焦点の画像は、収集された各フレームの間で焦点を変更することによって形成される。そして、各画像は被写体の光学的スライス（ｏｐｔｉｃａｌ−ｓｌｉｃｅ）となる。
【誤訳訂正３２】
【訂正対象書類名】明細書
【訂正対象項目名】００２２
【訂正方法】変更
【訂正の内容】
【００２２】
本発明の別の実施形態では、一つの場面（ｓｃｅｎｅ、シーン）の光空間（ｌｉｇｈｔ−ｆｉｅｌｄ）を収集するために、マイクロレンズアレイが使用されてもよい。このことにより焦点を取得後に変更でき、ゆえに多焦点の階層が算出される。画像は、一以上の高密度カメラセンサ（例えば、一以上のＣＣＤ又はＣＭＯＳセンサ）、又は一以上のポイントスキャン装置とラインスキャン装置（ｐｏｉｎｔ ａｎｄ ｌｉｎｅ ｓｃａｎｎｉｎｇ ｄｅｖｉｃｅｓ）を使用して収集される。結果としての画像の階層は、マイクロレンズアレイを使用した場合、ソース画像と比較すると低解像度となる。複数の像平面は、試料の中の対応する焦点面からの、焦点の合った構造を含む。周囲の構造からの焦点があっていない情報は、収集された画像の品質を落とす。本発明の一つの実施形態において、複数の眼の画像を結合して、プレノプティック多焦点画像にする方法は、既存の眼の撮像装置から得られた画像データのセットを作成する。 
【誤訳訂正３３】
【訂正対象書類名】明細書
【訂正対象項目名】００２３
【訂正方法】変更
【訂正の内容】
【００２３】
本発明の別の実施形態では、複数の眼の画像を結合して、プレノプティック多焦点画像にする方法は、新規な眼の撮像装置から得られた複数の画像データのセットを作成し、この新規な眼の撮像装置は、具体的には、複数の像平面からの情報を含むセンサに設置されるステッピングフォーカスマイクロレンズ（ｓｔｅｐｐｉｎｇ  ｆｏｃｕｓ）マイクロレンズ又はマルチエレメントマイクロレンズ（ｍｕｌｔｉ−ｅｌｅｍｅｎｔ ｍｉｃｒｏｌｅｎｓ）のいずれかを介して様々な深度で焦点の合った画像を創り出すように設計される。 
【誤訳訂正３４】
【訂正対象書類名】明細書
【訂正対象項目名】００２４
【訂正方法】変更
【訂正の内容】
【００２４】
本発明の別の実施形態では、複数の眼の画像を結合して、プレノプティック多焦点画像にする方法は、一以上の相対的に明瞭で広範囲なＯＣＴデータのセットを得るために、一以上のＯＣＴデータに適用される。
【誤訳訂正３５】
【訂正対象書類名】明細書
【訂正対象項目名】００２５
【訂正方法】変更
【訂正の内容】
【００２５】
図３は、本発明の一つの実施形態に従った、複数の眼の画像を結合して、プレノプティック多焦点画像にするための、第１の方法３００のフロー図である。 
【誤訳訂正３６】
【訂正対象書類名】明細書
【訂正対象項目名】００２６
【訂正方法】変更
【訂正の内容】
【００２６】
複数の眼の画像を結合して、プレノプティック多焦点画像にするための第１の方法３００は、各々が対応するフレームに含まれた複数の眼の画像を、プロセッサ及びメモリシステムを使用して一以上の眼の画像セットに登録するステップ３１０と、一以上の眼の画像セットの中の画像のそれぞれを、プロセッサにより、メモリシステムに存在する、選択された参照用画像に整合させるステップ３２０と、ノイズや他の撮像アーチファクトを削除して一以上の勾配画像を算出することにより、眼の画像の一以上の合焦領域を決定するステップ３３０と、一以上の勾配画像から最高の解像度を有する一以上の合焦領域を特定するステップ３４０と、当該特定された一以上の合焦領域をフレーム中から選択し、結合して、フレーム中の眼の画像及び一以上の眼の画像セットよりも高い解像度のプレノプティック多焦点画像にするステップ３５０を含む。 
【誤訳訂正３７】
【訂正対象書類名】明細書
【訂正対象項目名】００２７
【訂正方法】変更
【訂正の内容】
【００２７】
登録するステップ３１０は所定数の制御点によって制御される。所定数の制御点はユーザの見解によって手動で設定されるか、あるいはプロセッサによって自動的に算出される。プロセッサは、所定数の制御点を自動的に算出するための画像処理アルゴリズムを使用する。眼の画像、フレーム、画像セット及び所定数の制御点はメモリシステムに存在する。整合させるステップ３２０は、眼の画像が一以上の高密度カメラセンサを使用して収集されることを含む。一以上の高密度カメラセンサは一以上の電荷結合画像センサ（ＣＣＤセンサ）であるか、又は、一以上の高密度カメラセンサは一以上の相補型金属酸化膜半導体センサ（ＣＭＯＳセンサ）であるか、又は一以上のポイントスキャン装置とラインスキャン装置である。決定するステップ３３０は、各眼の画像から一以上の最も解像度の高い合焦領域を取り込むことにより、眼の画像が結合されることを含む。特定するステップ３４０は、各眼の画像のもっとも焦点の合っている領域を取り込むことにより、眼の画像が結合されることを含む。眼の画像は信号対ノイズ比すなわちＳＮＲを改善するために多数の合焦領域を平均化することによって結合される。プレノプティック多焦点画像は、一以上の細隙灯搭載カメラ、一以上の細隙灯一体型カメラ、光コヒーレンストモグラフィー、特定の波長での光学撮像、マルチスペクトル撮像、ハイパースペクトル撮像、自己蛍光撮像、共焦点網膜撮像、走査レーザー検眼鏡、一以上の補償光学装置、一以上の配向分極固有装置、一以上の眼底カメラ、一以上の携帯型撮像装置、一以上の直像検眼鏡、一以上の倒像検眼鏡、蛍光眼底血管造影、ＩＣＧ血管造影、クルクミン蛍光撮像、自己蛍光の群から選択される、一以上の既存の眼の撮像用モダリティ又は装置によって作成される。
【誤訳訂正３８】
【訂正対象書類名】明細書
【訂正対象項目名】００２８
【訂正方法】変更
【訂正の内容】
【００２８】
選択するステップ３５０は、焦点が合い、均等に照光された一以上の合焦領域を特定し、高周波画像情報を取得し、上記焦点が合い、均等に照光された一以上の合焦領域を特定し、高周波画像情報の取得処理がなされた画像を結合してプレノプティック多焦点画像にする。複数の眼の画像は、複数の個別に最適化されたフレームから成る、より大きな合成画像であってもよい。高周波画像情報は、一以上の低周波の画像成分の除去、及び一以上のランダムなノイズのばらつきの平滑化と抑制により算出される。方法３００はステッピングフォーカスを適用することによって、一以上の眼の画像セットを作成する。また、方法３００はステッピングフォーカスによって様々な深度で焦点の合った画像を創出する。 
【誤訳訂正３９】
【訂正対象書類名】明細書
【訂正対象項目名】００２９
【訂正方法】変更
【訂正の内容】
【００２９】
図４は本発明の一つの実施形態に従った、複数の眼の画像を結合して、プレノプティック多焦点画像にするための、第二の方法４００のフロー図である。 
【誤訳訂正４０】
【訂正対象書類名】明細書
【訂正対象項目名】００３０
【訂正方法】変更
【訂正の内容】
【００３０】
第２の方法４００は、各々が対応するフレームに含まれた複数の眼の画像を、一以上の眼の画像セットにプロセッサとメモリシステムを使用して登録する。この登録は所定数の制御点によって制御され、眼の画像は一以上の高密度カメラセンサを使用して収集され、それぞれの眼の画像の一以上の均等に照光された領域から最高の解像度を有する一以上の合焦領域を取り込むことによって眼の画像が結合されるステップ４１０と、一以上の画像セットのなかの眼の画像のそれぞれを、プロセッサにより、メモリシステムに存在する、選択された参照用画像に整合させるステップ４２０と、ノイズや他の撮像アーチファクトを削除して一以上の勾配画像を算出することにより、眼の画像の一以上の合焦領域を決定するステップであって、上記一以上の合焦領域は、焦点が合い、均等に照光され、高周波の画像情報が取得されており、上記焦点が合い、均等に照光され、高周波の画像情報の取得処理がなされた画像を結合して、プレノプティック多焦点画像にするステップ４３０と、一以上の勾配画像から最高の解像度を有する一以上の合焦領域を特定するステップ４４０と、当該特定された一以上の合焦領域をフレーム中から選択し、結合して、フレーム中の眼の画像及び一以上の眼の画像セットよりも高い解像度のプレノプティック多焦点画像にするステップ４５０を含む。 
【誤訳訂正４１】
【訂正対象書類名】明細書
【訂正対象項目名】００３１
【訂正方法】変更
【訂正の内容】
【００３１】
図４及びその説明に図示及び記載された、複数の眼の画像を結合して、プレノプティック多焦点画像にするための第２の方法４００は、図３及びその説明に図示及び記載された複数の眼の画像を結合して、プレノプティック多焦点画像にするための、第１の方法３００と類似している。その一方で、複数の眼の画像を結合して、プレノプティック多焦点画像にするための第２の方法４００は、一以上の高密度カメラセンサ、又は一以上のポイントスキャン装置とラインスキャン装置を含んでいる。さらに、一以上の合焦領域は、焦点が合い、均等に照光されており、周波数領域フィルター又はウイナーフィルターを使用して高周波画像情報を取得しており、上記焦点が合い、均等に照光されており、周波数領域フィルター又はウイナーフィルターを使用して高周波画像情報の取得処理がなされた画像を結合して、一以上の画像にする。 
【誤訳訂正４２】
【訂正対象書類名】明細書
【訂正対象項目名】発明の名称
【訂正方法】変更
【訂正の内容】
【発明の名称】複数の眼の画像を結合してプレノプティック多焦点画像にする方法
【誤訳訂正４３】
【訂正対象書類名】図面
【訂正対象項目名】図３
【訂正方法】変更
【訂正の内容】
【図３】
2015506730.tif 000001
【誤訳訂正４４】
【訂正対象書類名】図面
【訂正対象項目名】図４
【訂正方法】変更
【訂正の内容】
【図４】
2015506730.tif 000002